(57)【要約】【課題】消費電力を低減できるジグソーパズル及びジグソーパズルセットを提供する。【解決手段】ジグソーパズル２は、複数のピース５を備えている。ピース５のいずれかは、基材１１と、基材１１の表面に設けられた背面電極１２と、背面電極１２上に設けられた誘電体層１３及びＥＬ発光層１４を含むＥＬ発光部と、ＥＬ発光部上に設けられた透明電極１５と、基材１１の側面に設けられ、背面電極１２と接続された電極端子１６、１７と、基材１１の側面に設けられ、透明電極１５と接続された電極端子１８、１９とを有する発光ピース６である。【選択図】図１
2010240023.tif 000002
【特許請求の範囲】
【請求項１】
複数のピースを備えているジグソーパズルにおいて、
前記ピースのいずれかは、
第１基材と、
前記第１基材の表面に設けられた第１電極層と、
前記第１電極層上に設けられたＥＬ発光部と、
前記ＥＬ発光部上に設けられた第２電極層と、
前記第１基材の側面または裏面に設けられ、前記第１電極層と接続された第１電極端子と、
前記第１基材の側面または裏面に設けられ、前記第２電極層と接続された第２電極端子とを含む発光ピースであることを特徴とするジグソーパズル。
【請求項２】
前記ピースのいずれかは、
前記発光ピースと接続される配線ピースであって、
前記配線ピースは、接続先を変更可能な交換用の配線ピースを含むことを特徴とする請求項１に記載のジグソーパズル。
【請求項３】
前記配線ピースは、
第２基材と、
前記第２基材の第１側面に設けられた第３電極端子と、
前記第２基材の第１側面に設けられた第４電極端子と、
前記第３電極端子と接続される第１配線と、
前記第４電極端子と接続される第２配線と、
前記第２基材の第２側面に設けられ、前記第１配線と接続される第５電極端子と、
前記第２基材の第２側面に設けられ、前記第２配線と接続される第６電極端子とを有し、
前記交換用の配線ピースは、交換対象の前記配線ピースとは異なる配線、または、異なる側面に設けられた電極端子を有することを特徴とする請求項２に記載のジグソーパズル。
【請求項４】
前記配線ピースのいずれかは、
第３基材と、
前記第３基材の第１側面に設けられ第７電極端子と、
前記第３基材の第１側面に設けられ第８電極端子と、
前記第７電極端子と接続される第３配線と、
前記第８電極端子と接続される第４配線と、
前記第３基材の第２側面に設けられ、前記第３配線と接続される第９電極端子と、
前記第３基材の第２側面に設けられ、前記第４配線と接続される第１０電極端子と、
前記第３基材の第３側面に設けられた第１１電極端子と、
前記第３基材の第３側面に設けられた第１２電極端子と、
前記第１１電極端子と前記第３配線とを接続する第１枝線と、
前記第１２電極端子と前記第４配線とを接続する第２枝線とを有することを特徴とする請求項２または請求項３に記載のジグソーパズル。
【請求項５】
前記電極端子の中央部は、平面視にて、外側に突出していることを請求項１〜請求項４のいずれか１項に記載のジグソーパズル。
【請求項６】
請求項１〜請求項５のいずれか１項に記載のジグソーパズルと、
前記ジグソーパズルの外周を囲み保持する額部と、
前記額部に設けられ、前記発光ピースに電力を供給する電力供給部とを備えていることを特徴とするジグソーパズルセット。
【請求項７】
前記電力供給部は、
前記発光ピースと接続される複数対の電源端子と、
電力を変換して前記電源端子を介して電力を前記発光ピースに供給する回路部とを備え、
前記回路部は、異なる電源端子に異なる電力を送電することを特徴とする請求項６に記載のジグソーパズルセット。
【発明の詳細な説明】
【技術分野】
【０００１】
本発明は、複数のピースを嵌め合わせて図柄等を描写するジグソーパズル及びジグソーパズルセットに関する。
【背景技術】
【０００２】
従来、複数のピースを備え、これらのピースを組み合わせることで図柄等を形成するジグソーパズルが知られている。このようなジグソーパズルは、完成させた後、額に入れて飾っていたが、夜間や暗い場所では視認性が低いといった問題があった。ジグソーパズルの視認性を向上させる技術として、夜光塗料や蛍光塗料等を塗布する技術も知られているが、十分に視認性を向上させているとは言いがたい。そこで、暗い場所等でも視認性を向上させることが可能なジグソーパズルに関する技術が知られている。
【０００３】
特許文献１には、有機ＥＬパネルを有するジグソーパズルが開示されている。このジグソーパズルでは、有機ＥＬパネルが、全ピースの裏面全体に対向する位置に配置されている。また、ピースの少なくとも一部が、有機ＥＬパネルから発光された光を透過可能に構成されている。これにより、特許文献１のジグソーパズルでは、暗い場所等でも視認性を向上させることができた。
【先行技術文献】
【特許文献】
【０００４】
【特許文献１】実開平５−１５９９３号公報
【発明の概要】
【発明が解決しようとする課題】
【０００５】
しかしながら、特許文献１のジグソーパズルは、全ピースと同面積の光を発光させて、一部のピースのみ光を透過させている。このため、当該ジグソーパズルは、消費電力が大きいといった課題がある。
【０００６】
本発明は、上述した課題を解決するために創案されたものであり、消費電力を低減できるジグソーパズル及びジグソーパズルセットを提供することを目的としている。
【課題を解決するための手段】
【０００７】
上記目的を達成するために、請求項１に記載の発明は、複数のピースを備えているジグソーパズルにおいて、前記ピースのいずれかは、第１基材と、前記第１基材の表面に設けられた第１電極層と、前記第１電極層上に設けられたＥＬ発光部と、前記ＥＬ発光部上に設けられた第２電極層と、前記第１基材の側面または裏面に設けられ、前記第１電極層と接続された第１電極端子と、前記第１基材の側面または裏面に設けられ、前記第２電極層と接続された第２電極端子とを含む発光ピースであることを特徴とするジグソーパズルである。
【０００８】
また、請求項２に記載の発明は、前記ピースのいずれかは、前記発光ピースと接続される配線ピースであって、前記配線ピースは、接続先を変更可能な交換用の配線ピースを含むことを特徴とする請求項１に記載のジグソーパズルである。
【０００９】
また、請求項３に記載の発明は、前記配線ピースは、第２基材と、前記第２基材の第１側面に設けられた第３電極端子と、前記第２基材の第１側面に設けられた第４電極端子と、前記第３電極端子と接続される第１配線と、前記第４電極端子と接続される第２配線と、前記第２基材の第２側面に設けられ、前記第１配線と接続される第５電極端子と、前記第２基材の第２側面に設けられ、前記第２配線と接続される第６電極端子とを有し、前記交換用の配線ピースは、交換対象の前記配線ピースとは異なる配線、または、異なる側面に設けられた電極端子を有することを特徴とする請求項２に記載のジグソーパズルである。
【００１０】
また、請求項４に記載の発明は、前記配線ピースのいずれかは、第３基材と、前記第３基材の第１側面に設けられ第７電極端子と、前記第３基材の第１側面に設けられ第８電極端子と、前記第７電極端子と接続される第３配線と、前記第８電極端子と接続される第４配線と、前記第３基材の第２側面に設けられ、前記第３配線と接続される第９電極端子と、前記第３基材の第２側面に設けられ、前記第４配線と接続される第１０電極端子と、前記第３基材の第３側面に設けられた第１１電極端子と、前記第３基材の第３側面に設けられた第１２電極端子と、前記第１１電極端子と前記第３配線とを接続する第１枝線と、前記第１２電極端子と前記第４配線とを接続する第２枝線とを有することを特徴とする請求項２または請求項３に記載のジグソーパズルである。
【００１１】
また、請求項５に記載の発明は、前記電極端子の中央部は、平面視にて、外側に突出していることを請求項１〜請求項４のいずれか１項に記載のジグソーパズルである。
【００１２】
また、請求項６に記載の発明は、請求項１〜請求項５のいずれか１項に記載のジグソーパズルと、前記ジグソーパズルの外周を囲み保持する額部と、前記額部に設けられ、前記発光ピースに電力を供給する電力供給部とを備えていることを特徴とするジグソーパズルセットである。
【００１３】
また、請求項７に記載の発明は、前記電力供給部は、前記発光ピースと接続される複数対の電源端子と、電力を変換して前記電源端子を介して電力を前記発光ピースに供給する回路部とを備え、前記回路部は、異なる電源端子に異なる電力を送電することを特徴とする請求項６に記載のジグソーパズルセットである。
【発明の効果】
【００１４】
本発明によれば、所望の領域のみ発光ピースで構成することによって、所望の領域のみを発光させることができる。この結果、本発明は、消費電力を低減することができる。
【図面の簡単な説明】
【００１５】
【図１】第１実施形態によるジグソーパズルセットの全体斜視図である。
【図２】発光ピースの斜視図である。
【図３】発光ピースの分解斜視図である。
【図４】配線ピースの斜視図である。
【図５】発光ピースと配線ピースとの嵌め合わせを説明する斜視図である。
【図６】嵌め合わされた発光ピースと配線ピースとを説明する平面図である。
【図７】ジグソーパズルセットの部分平面図である。
【図８】第２実施形態のジグソーパズルセットにおける図７相当図である。
【図９】第３実施形態による発光ピースの分解斜視図である。
【発明を実施するための形態】
【００１６】
（第１実施形態）
以下、図面を参照して、本発明による第１実施形態を説明する。図１は、第１実施形態によるジグソーパズルセットの全体斜視図である。図２は、発光ピースの斜視図である。図３は、発光ピースの分解斜視図である。図４は、配線ピースの斜視図である。図５は、発光ピースと配線ピースとの嵌め合わせを説明する斜視図である。図６は、嵌め合わされた発光ピースと配線ピースとを説明する平面図である。図７は、ジグソーパズルセットの部分平面図である。尚、図７は、図１に一点鎖線で記載した領域９０の平面図であり、一部を断面図としている。
【００１７】
以下の説明において、図１に矢印で示すＸＹＺをＸＹＺ方向とする。また、ジグソーパズルの図柄が描写されている面（＋Ｚ側の面）を表面とし、表面の反対側の面（−Ｚ側の面）を裏面とする。
【００１８】
図１に示すように、第１実施形態によるジグソーパズルセット１は、ジグソーパズル２と、額部３と、電力供給部４とを備えている。
【００１９】
ジグソーパズル２は、図柄を描写するための複数のピース５を備えている。ピース５は、複数の発光ピース６と、複数の配線ピース７とを含む。尚、図１において、ドットハッチングされている領域が、発光ピース６が組み込まれている領域である。
【００２０】
発光ピース６は、ＥＬ発光することによって、図柄を表示するものである。図２及び図３に示すように、発光ピース６は、基材１１と、背面電極１２と、誘電体層１３と、ＥＬ発光層（以下、発光層という）１４と、透明電極１５と、二対の電極端子１６、１７、１８、１９とを備えている。尚背面電極１２が、請求項に記載の第１電極層に相当する。誘電体層１３と発光層１４とが請求項に記載のＥＬ発光部に相当する。透明電極１５が、請求項に記載の第２電極層に相当する。
【００２１】
基材１１は、所定の硬さを有する厚紙または樹脂からなる。基材１１には、隣接するピース５と嵌め合わせるための凹部や凸部が形成されている。
【００２２】
背面電極１２は、基材１１の表面の略全面に形成されている。背面電極１２は、カーボンをポリエステル系樹脂に分散させた材料からなる。尚、カーボンの代わりに銀等の導電性材料を分散させてもよい。背面電極１２は、約１０μｍの厚みを有する。
【００２３】
誘電体層１３は、背面電極１２と発光層１４とを絶縁するものである。誘電体層１３は、背面電極１２上の略全面に形成されている。誘電体層１３は、チタン酸バリウム粉をフッ素ゴム系樹脂に分散させた材料からなる。誘電体層１３は、約２０μｍの厚みを有する。
【００２４】
発光層１４は、ＥＬ発光して図柄を描写するものである。発光層１４は、誘電体層１３上に形成されている。発光層１４は、ＺｎＳ系の蛍光体粉をフッ素ゴム系樹脂に分散させた材料からなる。尚、発光層１４の蛍光体として、ＺｎＳ系の蛍光体粉以外の無機ＥＬ材料を採用してもよい。発光層１４は、約２５μｍの厚みを有する。発光層１４は、所望の図柄を発光するようにパターニングされている。
【００２５】
透明電極１５は、発光層１４の略全面に形成されたＩＴＯ（インジウム・スズ酸化物）からなる。透明電極１５は、発光層１４で発光された光を透過可能に構成されている。
【００２６】
電極端子１６、１７は、背面電極１２と接続されている。電極端子１６、１７は、透明電極１５とは絶縁されている。電極端子１６は、基材１１の＋Ｘ側の側面の表側に形成されている。電極端子１７は、基材１１の−Ｘ側の側面の表側に形成されている。電極端子１６と電極端子１７は、互いに対向する位置に配置されている。
【００２７】
電極端子１８、１９は、透明電極１５と接続されている。電極端子１８、１９は、背面電極１２とは絶縁されている。電極端子１８は、基材１１の＋Ｘ側の側面の表側に形成されている。電極端子１９は、基材１１の−Ｘ側の側面の表側に形成されている。電極端子１８と電極端子１９は、互いに対向する位置に配置されている。
【００２８】
電極端子１６〜１９は、部分円柱形状に形成されている。即ち、平面視にて、電極端子１６〜１９の中央部は外側に突出している。電極端子１６〜１９は、カーボンをポリエステル系樹脂に分散させた材料からなる。尚、電極端子１６〜１９を構成する材料は、特に限定されるものではないが、隣接する発光ピース６の電極端子１６〜１９間の接続性を向上させるためには、弾力性を有するものが好ましい。
【００２９】
配線ピース７は、直接的または間接的に発光ピース６と接続され、発光ピース６へと交流電力を送電するものである。図４に示すように、配線ピース７は、基材２１と、配線２２、２３と、二対の電極端子２４、２５、２６、２７とを備えている。
【００３０】
基材２１は、所定の硬さを有する厚紙または樹脂からなる。基材２１の表面には、図柄が記載されている。
【００３１】
配線２２は、電極端子２４、２５に接続されている。配線２３は、電極端子２６、２７に接続されている。
【００３２】
配線２２、２３は、基材２１の表面に形成されている。配線２２、２３は、ＩＴＯインク等の無色透明の導電性材料からなる。これにより、配線２２、２３が、基材２１の表面に描写された図柄を損なうことを抑制できる。配線２２、２３は、基材２１の凹部に合わせて、適宜、屈曲されている。
【００３３】
電極端子２４〜２７は、それぞれ発光ピース６の電極端子１６〜１９と略同じ構成であるので、説明を簡略化する。電極端子２４、２６は、基材２１の＋Ｘ側の側面の表側に形成されている。電極端子２５、２７は、基材２１の−Ｘ側の側面の表側に形成されている。電極端子２４と電極端子２５は、互いに対向する位置に配置されている。電極端子２６と電極端子２７は、互いに対向する位置に配置されている。
【００３４】
図５及び図６に示すように、発光ピース６及び配線ピース７が嵌め合わされると、隣接する電極端子１７（１９）が電極端子２４（２６）と接続される。また、発光ピース６同士が嵌め合わされると、発光ピース６の電極端子１６（１８）と隣接する発光ピース６の電極端子１７（１９）とが接続される。また、配線ピース７同士が嵌め合わされると、配線ピース７の電極端子２４（２６）と隣接する配線ピース７の電極端子２５（２７）とが接続される。
【００３５】
額部３は、完成したジグソーパズル２の外周を囲み保持するためのものである。額部３は、長方形状に形成されている。額部３の中央部には、開口部が形成されている。額部３は、４つの辺部３１を有する。各辺部３１には、ジグソーパズル２の外周部が嵌合される溝３１ａが形成されている。
【００３６】
電力供給部４は、発光ピース６に交流電力を供給するものである。電力供給部４は、額部３と一体的に設けられている。電力供給部４は、蓄電部３５と、回路部３６と、複数対の電源端子３７、３８とを備えている。
【００３７】
蓄電部３５は、直流電力を回路部３６へと供給するためのものである。
【００３８】
回路部３６は、蓄電部３５から供給される直流電力を、発光層１４が発光可能な交流電力に変換して、発光ピース６に送電するものである。回路部３６は、インバーター等を含むドライバ回路である。具体的には、回路部３６は、２００Ｖ〜３００Ｖの電圧を有し、約１ＫＨｚの周波数を有する交流電力に変換する。回路部３６は、額部３の一辺を構成する辺部３１に設けられている。回路部３６には、発光ピース６のオン／オフを切り替えるためのスイッチ（図示略）が設けられている。
【００３９】
電源端子３７、３８は、回路部３６によって変換された交流電力をジグソーパズル２の発光ピース６へと供給するためのものである。図７に示すように、電源端子３７、３８は、辺部３１の溝３１ａの内側に設けられている。電源端子３７及び電源端子３８は、交互に周期的に配置されている。電源端子３７及び電源端子３８は、ジグソーパズル２の外周部に配置される配線ピース７のいずれかの電極端子２４及び電極端子２６と接続される。これにより、電源端子３７、３８は、配線ピース７を介して発光ピース６と間接的に接続される。尚、電源端子３７、３８が、発光ピース６と直接接続されるように構成してもよい。電源端子３７、３８は、配線（図示略）によって、回路部３６と電気的に接続されている。電源端子３７、３８は、カーボンをポリエステル系樹脂に分散させた材料からなる。また、電源端子３７、３８は、部分円柱形状に形成されている。
【００４０】
次に、上述した第１実施形態によるジグソーパズルセット１の動作を説明する。
【００４１】
まず、図１に示すように、ユーザーにより、発光ピース６及び配線ピース７を含むピース５が嵌め合わされて、ジグソーパズル２が完成する。次に、完成したジグソーパズル２が額部３に入れられる。この後、ユーザーによって、回路部３６のスイッチがオンに切り替えられる。
【００４２】
これにより、直流電力が、蓄電部３５から回路部３６に供給される。次に、回路部３６では、供給された直流電力が交流電力に変換される。その後、変換された交流電力は、電源端子３７、３８から配線ピース７を介して、発光ピース６に供給される。
【００４３】
発光ピース６では、電極端子１６、１８から背面電極１２及び透明電極１５に交流電力が供給される。これにより、交流電界が、背面電極１２と透明電極１５との間に形成された発光層１４内に発生する。この結果、発光層１４の蛍光体の電荷が励起されて、ＥＬ発光する。ここで、発光層１４は、所望のパターンで発光して図柄を描写する。
【００４４】
次に、上述したジグソーパズル２の製造方法について説明する。尚、額部３及び電力供給部４の製造方法については省略する。
【００４５】
まず、ピース５（６、７）の基材１１、２１となる長方形状の厚紙（図示略）を用意する。次に、スクリーン印刷法によって、厚紙の発光ピース６を形成する領域にカーボン系導電性フィラーをポリエステル系樹脂に分散させたペーストを印刷する。この後、約１３０℃〜約１７０℃で１０分〜２０分加熱することによってペーストを乾燥させて、背面電極１２を形成する。
【００４６】
次に、スクリーン印刷法によって、背面電極１２上にフッ素ゴム系樹脂にチタン酸バリウムを分散させたペーストを印刷する。この後、ペーストを約１００℃〜約１４０℃で数分〜数十分加熱することによって、乾燥させる。この工程を複数繰り返すことによって、多層構造の誘電体層１３を形成する。
【００４７】
次に、スクリーン印刷法によって、ＺｎＳ系の蛍光体をポリエステル系樹脂に分散させたペーストを誘電体層１３上に所望の図柄で印刷する。この後、ペーストを約１００℃〜約１４０℃で数分加熱することによって乾燥させて、発光層１４を形成する。
【００４８】
次に、スクリーン印刷法によって、ＩＴＯインクを発光層１４上に印刷する。また、同時に、ＩＴＯインクを配線２２、２３のパターンで、配線ピース７の領域にも印刷する。これにより、透明電極１５及び配線２２、２３を形成する。この後、配線ピース７の領域に所望の図柄を印刷する。
【００４９】
次に、厚紙を各ピース５となるように切断する。この後、発光ピース６の側面に電極端子１６〜１９を形成するとともに、配線ピース７の側面に電極端子２４〜２７を形成する。これにより、ジグソーパズル２が完成する。
【００５０】
上述したように、第１実施形態によるジグソーパズルセット１は、表面にＥＬ発光可能な発光ピース６を含むジグソーパズル２を備えている。これにより、ジグソーパズルセット１は、ジグソーパズル２の所望の領域のみを発光させて図柄を形成することができる。この結果、ジグソーパズルセット１は、発光に必要な電力を低減できるので、消費電力を低減できる。
【００５１】
また、ユーザーは、配線ピース７を嵌め合わせて、ジグソーパズル２を完成することにより、配線を行うことができる。これにより、ユーザーは、電子ブロックのような電気的知識を必要とすることなく、ジグソーパズル２を楽しむことができる。
【００５２】
また、ジグソーパズルセット１では、発光ピース６を無機ＥＬ構造とすることによって、発光ピース６の厚みの増加を抑制しつつ上述の効果を奏することができる。
【００５３】
（第２実施形態）
次に、図面を参照して、第１実施形態の一部を変更した第２実施形態によるジグソーパズルセットについて説明する。図８は、第２実施形態のジグソーパズルセットにおける図７相当図である。尚、第１実施形態と同様の構成には、同じ符号を付けて説明を省略する。
【００５４】
図８に示すように、第２実施形態におけるジグソーパズルセット１Ａは、図７に示す交換対象の配線ピース７ａ、７ｂと交換するための交換用の配線ピース７Ａ、７Ｂを備えている。配線ピース７Ａ、７Ｂは、ジグソーパズル２Ａの外周に配置される。尚、配線ピース７Ａが、請求項３に記載の交換用の配線ピースである。配線ピース７Ｂが、請求項４に記載の配線ピースである。
【００５５】
配線ピース７Ａは、基材２１Ａと、配線２２Ａ、２３Ａと、電極端子２５、２７、４１、４２とを備えている。基材２１Ａは、図７に示す交換対象の配線ピース７ａと同じ形状である。
【００５６】
配線２２Ａは、交換対象の配線ピース７ａの配線２２と異なるように形成されている。具体的には、配線２２Ａは、配線ピース７Ａの−Ｘ側の辺から＋Ｙ側の辺へと延びるように形成されている。平面視にて、配線２２Ａは、直角に屈曲されている。配線２２Ａの一端部は、電極端子２５に接続されている。一方、配線２２Ａの他端部は、電極端子４１に接続されている。
【００５７】
配線２３Ａは、交換対象の配線ピース７ａの配線２３と異なるように形成されている。具体的には、配線２３Ａは、配線ピース７Ａの−Ｘ側の辺から＋Ｙ側の辺へと延びるように形成されている。平面視にて、配線２３Ａは、直角に屈曲されている。配線２３Ａの一端部は、電極端子２７に接続されている。一方、配線２３Ａの他端部は、電極端子４２に接続されている。
【００５８】
電極端子４１は、配線ピース７Ａの基材２１Ａの＋Ｙ側の側面に形成されている。
【００５９】
電極端子４２は、配線ピース７Ａの基材２１Ａの＋Ｙ側の側面に形成されている。
【００６０】
配線ピース７Ｂは、基材２１Ｂと、配線２２Ｂ、２３Ｂと、枝線２２Ｂａ、２３Ｂａと、電極端子２４〜２７、４３、４４とを備えている。基材２１Ｂは、交換対象の配線ピース７ｂと同じ形状である。
【００６１】
配線２２Ｂは、Ｘ方向に延びるように形成されている。配線２２Ｂの一端部は、電極端子２５と接続されている。配線２２Ｂの他端部は、電極端子２４と接続されている。
【００６２】
配線２２Ｂの途中部には、枝線２２Ｂａが一体的に形成されている。枝線２２Ｂａは、配線２２Ｂから−Ｙ方向に延びるように形成されている。枝線２２Ｂａの−Ｙ方向側の端部は、電極端子４３に接続されている。
【００６３】
配線２３Ｂは、Ｘ方向に延びるように形成されている。配線２３Ｂの一端部は、電極端子２７と接続されている。配線２３Ｂの他端部は、電極端子２６と接続されている。ここで、配線２３Ｂと枝線２２Ｂａとが交差する部分には、絶縁層４５が形成されている。絶縁層４５は、配線２３Ｂと枝線２２Ｂａとの間に形成されている。これにより、配線２３Ｂと枝線２２Ｂａとが、電気的に絶縁される。
【００６４】
配線２３Ｂの途中部には、枝線２３Ｂａが一体的に形成されている。枝線２３Ｂａは、配線２３Ｂから−Ｙ方向に延びるように形成されている。枝線２３Ｂａの−Ｙ方向側の端部は、電極端子４４に接続されている。
【００６５】
電極端子４３は、配線ピース７Ｂの基材２１Ｂの−Ｙ方向側の側面に形成されている。電極端子４３は、配線ピース７Ａ及び配線ピース７Ｂが嵌め合わされた時、電極端子４１と接続される位置に配置されている。これにより、配線２２Ａは、電極端子４１、４３及び枝線２２Ｂａを介して、配線２２Ｂに接続される。
【００６６】
電極端子４４は、配線ピース７Ｂの基材２１Ｂの−Ｙ方向側の側面に形成されている。電極端子４４は、配線ピース７Ａ及び配線ピース７Ｂが嵌め合わされた時、電極端子４２と接続される位置に配置されている。これにより、配線２３Ａは、電極端子４２、４４及び枝線２３Ｂａを介して、配線２３Ｂに接続される。
【００６７】
この結果、配線ピース７Ａ及び配線ピース７Ｂを嵌め合わせることによって、配線ピース７Ａは、接続される電源端子が、電源端子３７Ａ、３８Ａから電源端子３７Ｂ、３８Ｂに変更される。
【００６８】
ここで、第２実施形態では、回路部３６が電源端子３７Ａ、３８Ａと電源端子３７Ｂ、３８Ｂとに異なる電力を送電する。具体的には、回路部３６は、電源端子３７Ａ、３８Ａには、１秒に１回の周期で交流電力を送電する。一方、回路部３６は、電源端子３７Ｂ、３８Ｂには、２秒に１回の周期で交流電力を送電する。尚、回路部３６が、周期ではなく、電圧が異なる電力を異なる電源端子３７Ａ、３８Ａ、３７Ｂ、３８Ｂに送電するように構成してもよい。
【００６９】
次に、上述した第２実施形態によるジグソーパズルセット１Ａの動作を説明する。
【００７０】
まず、図７に示す嵌め合わせ状態から所定の２個の配線ピース７ａ、７ｂが配線ピース７Ａ、７Ｂに交換される。これにより、配線ピース７Ａが接続される電源端子が、電源端子３７Ａ、３８Ａから電源端子３７Ｂ、３８Ｂに変更される。これにより、配線ピース７Ａに供給される交流電力が送電される周期が、１秒に１回から２秒に１回に変更される。この結果、配線ピース７Ａの下流側に接続された発光ピース６の点滅の周期が、１秒に１回から２秒に１回に変更される。
【００７１】
上述したように、第２実施形態によるジグソーパズルセット１Ａは、交換用の配線ピース７Ａ、７Ｂを備えている。これにより、配線ピース７Ａが接続される電源端子を変更することができる。また、電源端子３７Ａ、３８Ａと電源端子３７Ｂ、３８Ｂとに供給される交流電力が送電される周期を異ならせている。この結果、発光ピース６の点滅の周期を変更することができるので、ジグソーパズルセット１Ａのエンターテイメント性を向上させることができる。また、配線ピース７（７Ａ、７Ｂ）の交換により上述の効果を奏することができるので、高価なスイッチ等を不要とし、部品コストを低減することができる。
【００７２】
また、第２実施形態では、交換用の配線ピース７Ａ、７Ｂをジグソーパズル２Ａの外周に配置したが、外周以外の配線ピース７Ａ、７Ｂを交換可能に構成してもよい。
【００７３】
また、発光ピース６を交換可能に構成してもよい。この場合、発光ピース６の発光パターンや色等を変えることによって、ジグソーパズルセットのエンターテイメント性をより向上させることができる。
【００７４】
（第３実施形態）
次に、図面を参照して、上述した実施形態の発光ピースを変更した第３実施形態について説明する。図９は、第３実施形態による発光ピースの分解斜視図である。尚、上述した実施形態と同様の構成は、同じ符号を付けて説明を省略する。
【００７５】
図９に示すように、第３実施形態による発光ピース６Ｃは、基材１１Ｃと、背面電極１２Ｃと、誘電体層１３Ｃと、発光層１４Ｃと、透明電極１５と、電極端子１６Ｃ〜１９Ｃとを備えている。
【００７６】
基材１１Ｃの四隅には、ビアホール５１、５２、５３、５４が形成されている。ビアホール５１〜５４には、ビア配線５５、５６、５７、５８が形成されている。ビア配線５５〜５８は、ビアホール５１〜５４に埋設された導電性材料からなる。ビア配線５５、５６の＋Ｚ側の端部は、背面電極１２Ｃと接続されている。
【００７７】
背面電極１２Ｃ〜発光層１４Ｃには、ビアホール５９、６０が形成されている。ビアホール５９、６０は、基材１１Ｃに形成されたビアホール５９、６０と貫通するように形成されている。
【００７８】
ビアホール５９、６０には、ビア配線６１、６２が形成されている。ビア配線６１、６２の＋Ｚ側の端部は、透明電極１５に接続されている。ビア配線６１、６２の−Ｚ側の端部は、ビア配線５７、５８に接続されている。尚、ビアホール５９、６０の内壁面には、ビア配線６１、６２と背面電極１２Ｃ〜発光層１４Ｃとを絶縁するための絶縁膜が形成されている。
【００７９】
電極端子１６Ｃ、１７Ｃ、１８Ｃ、１９Ｃは、基材１１Ｃの裏面の四隅に形成されている。電極端子１６Ｃ〜１９Ｃは、それぞれビア配線５５〜５８に接続されている。これにより、背面電極１２Ｃは、電極端子１６Ｃ、１７Ｃに接続される。一方、透明電極１５は、電極端子１８Ｃ、１９Ｃに接続される。
【００８０】
尚、発光ピース６Ｃの電極端子１６Ｃ〜１９Ｃと電力供給部４との接続は、額部３の裏板に形成された配線（図示略）によって行われる。
【００８１】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。以下、上記実施形態を一部変更した変更形態について説明する。
【００８２】
上述した実施形態における形状、数値、材料等は適宜変更可能である。
【００８３】
上述した実施形態では、無機ＥＬ材料を含むＥＬ発光部を一例として上げたが、有機ＥＬ材料を含むＥＬ発光部を適用してもよく、半導体材料からなるＬＥＤ等を適用してもよい。
【００８４】
また、配線ピースの配線が、Ｘ方向及びＹ方向に延びるように形成してもよい。このように構成する場合、電力供給部の電源端子は、額部のＸ方向の辺部及びＹ方向の辺部に設けられる。これにより、ジグソーパズルセットをパッシブマトリックス状に構成することができる。
【００８５】
上述した実施形態では、蓄電部によって電力を供給したが、電力供給部にプラグを設け、外部のコンセント等から電力を供給してもよい。
【符号の説明】
【００８６】
１、１Ａ      ジグソーパズルセット
２、２Ａ      ジグソーパズル
３     額部
４     電力供給部
５     ピース
６、６Ｃ      発光ピース
７、７Ａ、７Ｂ             配線ピース
１１、１１Ｃ  基材
１２、１２Ｃ  背面電極
１３、１３Ｃ  誘電体層
１４、１４Ｃ  ＥＬ発光層
１５   透明電極
１６〜１９、１６Ｃ〜１９Ｃ  電極端子
２１、２１Ａ、２１Ｂ 基材
２２、２２Ａ、２２Ｂ、２３、２３Ａ、２３Ｂ       配線
２２Ｂａ、２３Ｂａ   枝線
２４〜２７    電極端子
３１   辺部
３１ａ 溝
３５   蓄電部
３６   回路部
３７、３７Ａ、３７Ｂ、３８、３８Ａ、３８Ｂ       電源端子
４１〜４４    電極端子
４５   絶縁層
５１〜５４、５９、６０      ビアホール
５５〜５８、６１、６２      ビア配線
【図１】
2010240023.tif 000003
【図２】
2010240023.tif 000004
【図３】
2010240023.tif 000005
【図４】
2010240023.tif 000006
【図５】
2010240023.tif 000007
【図６】
2010240023.tif 000008
【図７】
2010240023.tif 000009
【図８】
2010240023.tif 000010
【図９】
2010240023.tif 000011